(57)【要約】【課題】  岩盤から離れた位置より親ダイを爆破孔に装填する際に有用な親ダイ保持具の提供。【解決手段】  スラリー状の爆薬を機械装填する際、岩盤に穿孔された爆破孔に親ダイを挿入するために使用する、内径が親ダイの外径以上で、親ダイを保持する部分の長さが親ダイの長さの１／３以上かつ１以下であり、装填パイプ又は装填ホースの先端に着脱可能であることを特徴とする樹脂製円筒形の親ダイ保持具。【選択図】  図１
2005326107.tif 000002
【特許請求の範囲】
【請求項１】
スラリー状の爆薬を機械装填する際、岩盤に穿孔された爆破孔に親ダイを挿入するために使用する、内径が親ダイの外径以上で、親ダイを保持する部分の長さが親ダイの長さの１／３以上かつ１以下であり、装填パイプ又は装填ホースの先端に着脱可能であることを特徴とする樹脂製円筒形の親ダイ保持具。
【請求項２】
スラリー状の爆薬を機械装填する際、請求項１の親ダイ保持具の内径以下の外径を持ったパイプ先端に、請求項１記載の親ダイ保持具を装着した親ダイ装填具。
【請求項３】
スラリー状の爆薬を機械装填する際、請求項１の親ダイ保持具の内径以下の外径を持ったホースの先端に、請求項１記載の親ダイ保持具を装着した親ダイ装填具。
【発明の詳細な説明】
【技術分野】
【０００１】
本発明は、トンネル工事等の岩盤に穿孔された爆破孔に親ダイを装填する際に用いられる親ダイ保持具および親ダイ装填具に関する。
【背景技術】
【０００２】
これまで、発破を行うトンネル工事等の現場では親ダイを穿孔された爆破孔に手作業で込めており、岩石の崩落の危険がある岩盤に近づいて作業を行う必要があった。
近年、作業の安全を確保するため、岩盤から離れた位置より親ダイ及び増し用の爆薬を爆破孔に装填する工法が望まれており、ホースやパイプを使用し岩盤から離れた位置から爆薬を装填する技術が確立されつつある。（たとえば、特許文献１及び特許文献２）
但し、現在の方法では、親ダイはあらかじめ爆破孔内に人手で込める方法が主流であり（たとえば、特許文献３）、パイプに親ダイを挿入して装填する方法もあるが（たとえば、特許文献４及び、非特許文献１）、パイプやホースの先端部の損傷及び磨耗が発生し易く、パイプを度々交換する又はホースの先端を切断加工し損傷部を除去する必要があった。
【特許文献１】特開平９−２５７３９９号
【特許文献２】特開平９−１２６７００号
【特許文献３】特開平７−２１８１９９号
【特許文献４】特開平８−１７７３７２号
【非特許文献１】熊谷組、「山岳トンネル発破掘削における爆薬装填作業の安全性向上と効率化」、土木学会第５７回年次学術講演会要旨集、平成１４年９月
【発明の開示】
【発明が解決しようとする課題】
【０００３】
本発明は、スラリー状の爆薬を機械で遠隔装填する際、岩盤から離れた位置より親ダイを爆破孔に装填するために有用な親ダイ保持具を提供することを目的とする。
【課題を解決するための手段】
【０００４】
本発明者は、前記課題を解決するため鋭意研究を重ねた結果、親ダイの外径以上の内径をもつ円筒形の保持具を用いることを考案し、さらにパイプ又はホースの先端に取り付けることが出来かつ交換可能な形状とすることで課題の解決が可能であることを見出し、本発明をなすに至った。
すなわち、本発明は、下記の通りである。
(1)  スラリー状の爆薬を機械装填する際、岩盤に穿孔された爆破孔に親ダイを挿入するために使用する、内径が親ダイの外径以上で、親ダイを保持する部分の長さが親ダイの長さの１／３以上かつ１以下であり、装填パイプ又は装填ホースの先端に着脱可能であることを特徴とする樹脂製円筒形の親ダイ保持具。
(2)  スラリー状の爆薬を機械装填する際、（１）記載の親ダイ保持具の内径以下の外径を持ったパイプ先端に、前記(1)記載の親ダイ保持具を装着した親ダイ装填具。
(3)  スラリー状の爆薬を機械装填する際、（１）記載の親ダイ保持具の内径以下の外径を持ったホースの先端に、前記(1)記載の親ダイ保持具を装着した親ダイ装填具。
に関する。
【発明の効果】
【０００５】
本発明品を使用することにより、確実に親ダイを保持することが可能であり、パイプ又はホースの先端の磨耗を防止でき岩盤から離れた位置から親ダイを爆破孔に挿入することが可能になった。
【発明を実施するための最良の形態】
【０００６】
以下、本発明について具体的に説明する。
親ダイとは雷管付き起爆爆薬のことであり、本発明で使用される親ダイの爆薬の種類としては膠質ダイナマイト及び含水爆薬が適し、爆薬の寸法としては外径２５〜３０ｍｍ、長さ１００〜３００ｍｍが適し、使用される雷管の種類は電気式雷管、非電気式雷管を問わない。
保持具の長さは親ダイ挿入部とパイプ接合部の合計の長さで決まるが、親ダイ挿入部の長さは、親ダイに使われる爆薬の１／３以上かつ１以下の長さが必要であり、１／３以下になると保持が不安定になり、１以上にすると親ダイを付け間違ったときに取り外すのが難しくなる。
【０００７】
パイプ接合部の長さは、パイプの長さ以下である必要があり、交換の簡便さを優先するなら２０〜１００ｍｍの長さが好ましく、パイプの保護を優先するのであれば穿孔された爆破孔と同じ長さで、爆破孔に挿入された長さのパイプ外面を保持具で覆うことも可能である。
保持具の内径は使用する親ダイの外径以上が必須であり、親ダイ外径より１〜５ｍｍ大きいものであることが望ましい。
穿孔する爆破孔の孔径は、保持具の外径以上であることが必要である。保持具の外径は、通常、保持具の内径より１〜５ｍｍ大きいものが軽くて使い易く好ましい。
保持具の材質は、円筒状に加工可能なプラスチックが適しており、より好ましくはポリオレフィン系の材質が安価で加工性が良く使いやすい。
【０００８】
親ダイ装填具に使用するパイプ又はホースは、親ダイ保持具の内径以下の外径を持ち長さは機械装填機の能力及び希望する遠隔装填距離により決まる。本発明の親ダイ装填具を使用することにより、親ダイを親ダイ保持具に保持したまま爆破孔の奥まで運ぶことが出来、続いてスラリー薬をパイプ又はホースから押出すことによって、親ダイが親ダイ保持具から押出され、爆破孔の奥にセットすることが出来る。
親ダイ保持具をパイプ又はホースに接続する方法としては、粘着テープで固定あるいは接着する方法を取ることが出来るが、粘着テープを用いるほうが交換の際簡単に済むのでより好ましい。
【実施例】
【０００９】
［実施例１］
内径２４ｍｍ、外径２６ｍｍ、長さ２ｍのＣＦＲＰ製パイプの先端に本発明の内径２８ｍｍ、外径３０ｍｍ、親ダイ挿入部長さ１００ｍｍ、パイプ接合部長さ５０ｍｍのポリプロピレン製親ダイ保持具をビニールテープを用いて取り付けた本発明の親ダイ装填具に、爆薬径２５ｍｍ、長さ１８０ｍｍの含水爆薬系親ダイを図１のように取り付け、岩盤から約１．５ｍ離れた位置から爆破孔に親ダイを約１０００回装填し親ダイの保持性、パイプ先端の損傷を確認し良好な結果を得た。
【００１０】
［実施例２］
内径２２ｍｍ、外形２６ｍｍ、長さ２ｍの硬質塩化ビニール製パイプの先端に本発明の内径２８ｍｍ、外径３０ｍｍ、親ダイ挿入部長さ１００ｍｍ、パイプ接合部長さ５０ｍｍのポリプロピレン製親ダイ保持具をビニールテープを用いて取り付けた本発明の親ダイ装填具に、爆薬径２５ｍｍ、長さ１８０ｍｍの含水爆薬系親ダイを図１のように取り付け、岩盤から約１．５ｍ離れた位置から爆破孔に親ダイを約１０００回装填し親ダイの保持性、パイプ先端の損傷を確認し良好な結果を得た。
【００１１】
［比較例１］
親ダイ保持具を装着していない実施例１に用いたものと同じＣＦＲＰ製パイプの先端を図２のように加工し、実施例１及び２と同じ親ダイを保持させて岩盤から約１．５ｍ離れた位置から爆破孔に装填した結果、１０回に１回程度親ダイが装填途中で外れる現象が起き、約１００回装填した後に加工部分が折れてパイプを交換しなければならなかった。
【図面の簡単な説明】
【００１２】
【図１】実施例１及び２の実施状況を示す説明図。
【図２】比較例１の実施状況を示す説明図。
【符号の説明】
【００１３】
１  親ダイ保持具
２  パイプ
３  固定用ビニールテープ
４  親ダイ
５  雷管
６  雷管脚線
７  ホース
【図１】
2005326107.tif 000003
【図２】
2005326107.tif 000004